(57)【要約】その態様の中の１つでは、本技術が、サービス提供中の無線基地局（５０S）および候補無線基地局（５０C）を備える通信システム（１０）を動作させる方法に関する。サービス提供中の無線基地局（５０S）は、無線移動機（３０）が測定報告を提供する無線基地局を備える。サービス提供中の無線基地局（５０S）と候補無線基地局（５０C）とは、周波数および無線アクセス技術の少なくとも１つが異なる。方法は、サービス提供中の無線基地局（５０S）が移動機（３０）に候補無線基地局（５０C）からブロードキャストされる情報の取得を許可する工程を備える。情報は、候補無線基地局（５０C）のセルグローバルＩＤ（ＣＧＩ）を特定するための情報か、またはその無線基地局のセルグローバルＩＤ（ＣＧＩ）自体である。移動機（３０）が、少なくとも１つの読み取りギャップ中に候補無線基地局（５０C）から情報を取得する。読み取りギャップは、移動機（３０）がサービス提供中の無線基地局（５０S）から情報を受信しない期間である。
2011512718.tif 000002
【特許請求の範囲】
【請求項１】
サービス提供中の無線基地局（５０S）および候補無線基地局（５０C）を備える通信システム（１０）を動作させる方法であって、前記サービス提供中の無線基地局（５０S）は、無線移動機（３０）が測定レポートを提供する無線基地局であり、前記サービス提供中の無線基地局（５０S）と前記候補無線基地局（５０C）は、周波数および無線アクセス技術の少なくとも一方が異なり、
前記サービス提供中の無線基地局（５０S）が、前記移動機（３０）に前記候補無線基地局（５０C）からブロードキャストされる情報の取得を許可する工程と、
前記移動機（３０）が、少なくとも１つの読み取りギャップ中に前記候補無線基地局（５０C）から前記情報を取得する工程であって、ここで前記情報は、前記候補無線基地局（５０C）のセルグローバルＩＤ（ＣＧＩ）を特定するための情報か、または前記無線基地局の前記セルグローバルＩＤ（ＣＧＩ）自体であり、前記読み取りギャップは、前記移動機（３０）が前記サービス提供中の無線基地局（５０S）から情報を受信しない期間であるところの工程と
を含むことを特徴とする方法。
【請求項２】
前記情報は、前記候補無線基地局（５０C）の同期情報であることを特徴とする請求項１に記載の方法。
【請求項３】
前記情報は、前記候補無線基地局（５０C）のローカル識別情報であることを特徴とする請求項１に記載の方法。
【請求項４】
前記サービス提供中の無線基地局（５０S）が、前記移動機（３０）に対して、前記移動機（３０）が前記候補無線基地局（５０C）から前記情報を取得できる所定の期間を有する送信ギャップを発出する工程と、
前記移動機（３０）が、前記送信ギャップ中に前記候補無線基地局（５０C）から前記情報を取得する工程と
をさらに含むことを特徴とする請求項１に記載の方法。
【請求項５】
前記移動機（３０）が、前記サービス提供中の無線基地局（５０S）に前記移動機（３０）が前記少なくとも１つの読み取りギャップを発出すると通知する工程と、それに応えて、
前記サービス提供中の無線基地局（５０S）が、前記移動機（３０）に対する前記送信ギャップを発出する工程と
をさらに含むことを特徴とする請求項４に記載の方法。
【請求項６】
前記サービス提供中の無線基地局（５０S）が、送信ギャップを開始し、前記移動機（３０）に前記候補無線基地局（５０C）からブロードキャストされる情報の取得を許可する工程と、
前記サービス提供中の無線基地局（５０S）が、前記移動機（３０）から前記情報を受信すると直ぐに、前記送信ギャップを終了する工程と
をさらに含むことを特徴とする請求項１に記載の方法。
【請求項７】
前記移動機（３０）が、前記サービス提供中の無線基地局（５０S）に前記送信ギャップを発出するように要求する工程と、
前記移動機（３０）が、前記情報を取得するために読み取りギャップを開始する工程と
をさらに含むことを特徴とする請求項６に記載の方法。
【請求項８】
前記サービス提供中の無線基地局（５０S）が、前記移動機（３０）に固定長の周期的送信ギャップを発出し、それによって、前記送信ギャップの少なくとも１つを、前記候補無線基地局（５０C）からブロードキャストされる前記情報を中に有する、前記候補無線基地局（５０C）のブロードキャストフレームに位置合わせする工程と、
前記移動機（３０）が、前記周期的送信ギャップの１つの間に前記情報を取得する工程と
をさらに含むことを特徴とする請求項１に記載の方法。
【請求項９】
前記移動機（３０）が、前記候補無線基地局（５０C）から前記情報を取得するために前記少なくとも１つの読み取りギャップを発出する工程と、前記読み取りギャップ中は前記サービス提供中の無線基地局（５０S）からの送信を無視する工程と
をさらに含むことを特徴とする請求項１に記載の方法。
【請求項１０】
前記移動機（３０）が、反復要求手順を用いて前記少なくとも１つの読み取りギャップ中に失われたフレームを回復する工程をさらに含むことを特徴とする請求項９に記載の方法。
【請求項１１】
前記サービス提供中の無線基地局（５０S）が、前記移動機（３０）からの所定の報告の不受信は前記移動機（３０）が前記少なくとも１つの読み取りギャップを発出していることを示すと理解する工程と、それに応じて、前記サービス提供中の無線基地局（５０S）が、前記サービス提供中の無線基地局（５０S）と前記移動機（３０）との通信を変更する工程とをさらに含むことを特徴とする請求項１に記載の方法。
【請求項１２】
前記サービス提供中の無線基地局（５０S）が、前記移動機（３０）への送信の優先順位を下げることによって、前記サービス提供中の無線基地局（５０S）と前記移動機（３０）との通信を変更する工程をさらに含むことを特徴とする請求項１１に記載の方法。
【請求項１３】
前記サービス提供中の無線基地局（５０S）が、前記移動機（３０）へのスケジューリングリソースの割り当てを中止する工程をさらに含むことを特徴とする請求項１１に記載の方法。
【請求項１４】
前記サービス提供中の無線基地局（５０S）が、隣接関係リストハンドラに前記情報を提供する工程をさらに含むことを特徴とする請求項１に記載の方法。
【請求項１５】
前記候補無線基地局（５０C）はＧＥＲＡＮ無線アクセスネットワークに属し、前記サービス提供中の無線基地局（５０S）は別の無線アクセス技術に属することを特徴とする請求項１に記載の方法。
【請求項１６】
前記候補無線基地局（５０C）はＵＴＲＡＮ無線アクセスネットワークに属し、前記サービス提供中の無線基地局（５０S）は別の無線アクセス技術に属することを特徴とする請求項１に記載の方法。
【請求項１７】
（ａ）前記移動機（３０）が、少なくとも１つの読み取りギャップ中に前記候補無線基地局（５０C）から第１のタイプの情報を取得する工程と、
（ｂ）前記第１のタイプの情報を使用して、前記候補無線基地局（５０C）からブロードキャストされる第２のタイプの情報をどのように取得するかを決定する工程と
（ｃ）前記移動機（３０）が、少なくとも別の１つの読み取りギャップ中に前記候補無線基地局（５０C）から前記第２のタイプの情報を取得する工程と
をさらに含むことを特徴とする請求項１に記載の方法。
【請求項１８】
前記サービス提供中の無線基地局（５０S）が、前記移動機（３０）に前記候補無線基地局（５０C）からブロードキャストされる前記第１のタイプの情報を取得するため、および前記候補無線基地局（５０C）からブロードキャストされる前記第２のタイプの情報を取得するために、動作（ａ）の実行を許可する工程をさらに含むことを特徴とする請求項１７に記載の方法。
【請求項１９】
前記第１のタイプの情報は、前記候補無線基地局（５０C）の同期情報および前記候補無線基地局（５０C）のローカル識別情報の１つ以上であることを特徴とする請求項１７に記載の方法。
【請求項２０】
前記第１のタイプの情報は、前記候補無線基地局（５０C）のセルグローバルＩＤ（ＣＧＩ）を特定するための情報であることを特徴とする請求項１７に記載の方法。
【請求項２１】
前記第２のタイプの情報は、前記候補無線基地局（５０C）のセルグローバルＩＤ（ＣＧＩ）であることを特徴とする請求項１７に記載の方法。
【請求項２２】
動作（ａ）は、請求項６乃至請求項１１の１項の動作を用いて実行され、
動作（ｄ）は、請求項６乃至請求項１１の別の１項の動作を用いて実行される
ことを特徴とする請求項１７に記載の方法。
【請求項２３】
サービス提供中の無線基地局（５０S）および候補無線基地局（５０C）を備える通信システム（１０）における無線動作用に構成された移動機（３０）であって、
前記無線移動機（３０）と前記サービス提供中の無線基地局（５０S）との間、および前記移動機（３０）と前記候補無線基地局（５０C）との間の無線通信を実施するように構成された１つ以上のトランシーバ（３３）を備え、
移動機測定通信機能（４２）が少なくとも１つの読み取りギャップ中に前記候補無線基地局（５０C）から情報を取得するように構成され、前記情報は、前記候補無線基地局（５０C）のセルグローバルＩＤ（ＣＧＩ）を特定するための情報か、または前記無線基地局の前記セルグローバルＩＤ（ＣＧＩ）自体であり、前記読み取りギャップは、前記移動機（３０）が前記サービス提供中の無線基地局（５０S）から情報を受信しない期間である
ことを特徴とする移動機（３０）。
【請求項２４】
前記情報は、前記候補無線基地局（５０C）の同期情報であることを特徴とする請求項２３に記載の移動機。
【請求項２５】
前記情報は、前記候補無線基地局（５０C）のローカル識別情報であることを特徴とする請求項２３に記載の移動機。
【請求項２６】
前記移動機測定通信機能（４２）は、少なくとも１つの読み取りギャップ中に前記候補無線基地局（５０C）から第１のタイプの情報を取得し、少なくとも別の１つの読み取りギャップ中に前記候補無線基地局（５０C）から第２のタイプの情報を取得するように構成され、各読み取りギャップは、前記移動機（３０）が前記サービス提供中の無線基地局（５０S）から情報を受信しない期間であることを特徴とする請求項２３に記載の移動機。
【請求項２７】
前記第１のタイプの情報は、前記候補無線基地局（５０C）のセルグローバルＩＤ（ＣＧＩ）を特定するための情報であることを特徴とする請求項２６に記載の移動機。
【請求項２８】
前記第２のタイプの情報は、前記候補無線基地局（５０C）のセルグローバルＩＤ（ＣＧＩ）であることを特徴とする請求項２６に記載の移動機。
【請求項２９】
サービス提供中の基地局としての機能を果たし、移動機（３０）との無線通信のために構成された通信システム（１０）の基地局（５０）であって、
前記移動機（３０）と前記基地局との間の無線通信を実施するように構成されたトランシーバ（３８）を備え、
基地局測定通信機能（５２）が、前記移動機（３０）に少なくとも１つの読み取りギャップ中の候補無線基地局（５０C）からの情報の取得を許可するように構成され、前記情報は、前記候補無線基地局（５０C）のセルグローバルＩＤ（ＣＧＩ）を特定するための情報か、または前記無線基地局の前記セルグローバルＩＤ（ＣＧＩ）自体であり、前記読み取りギャップは、前記移動機（３０）が前記サービス提供中の無線基地局（５０S）から情報を受信しない期間であることを特徴とする基地局（５０）。
【請求項３０】
前記基地局通信機能（５２）は、基前記移動機（３０）に少なくとも１つの読み取りギャップ中の前記候補無線基地局（５０C）からの第１のタイプの情報の取得を許可し、少なくとも別の１つの読み取りギャップ中の前記候補無線基地局（５０C）からの第２のタイプの情報の取得を許可するように構成され、各読み取りギャップは、前記移動機（３０）が前記サービス提供中の無線基地局（５０S）から情報を受信しない期間であることを特徴とする請求項２９に記載の基地局。
【請求項３１】
前記第１のタイプの情報は、前記候補無線基地局（５０C）のセルグローバルＩＤ（ＣＧＩ）を特定するための情報であることを特徴とする請求項３０に記載の基地局。
【請求項３２】
前記第２のタイプの情報は、前記候補無線基地局（５０C）のセルグローバルＩＤ（ＣＧＩ）であることを特徴とする請求項３０に記載の基地局。
【発明の詳細な説明】
【技術分野】
【０００１】
本発明は、通信に関し、特に、隣接関係リストの管理に関わる無線アクセス技術間（ＩＲＡＴ、Inter-Radio Access Technology）測定および周波数間（Inter-frequency）測定に関する。
【０００２】
本願は、２００８年１月２５日に出願された「ＲＡＴ間／周波数間隣接関係リストの自動管理」と題する米国仮特許出願第６１／０２３，４６９号の優先権を主張するとともに、その内容全体を参照によって本願明細書に引用したものとする。
【背景技術】
【０００３】
通常のセルラ無線システムでは、無線端末（移動機またはユーザ装置ユニット（ＵＥ）またはその両方としても知られている）が、無線アクセスネットワーク（ＲＡＮ）を介して１つ以上のコアネットワークと通信する。無線端末は、移動電話機（「セルラ」電話機）および無線能力を有するラップトップコンピュータ（例えば移動端末）などの、移動機またはユーザ装置ユニット（ＵＥ）でもよく、それ故、例えばポータブル、ポケット、ハンドヘルド、コンピュータ内蔵、または車載の、無線アクセスネットワークと音声またはデータまたはその両方を通信する移動デバイスでもよい。
【０００４】
無線アクセスネットワーク（ＲＡＮ）は、セルエリアに分割された地理的エリアをカバーし、各セルエリアは、例えば無線基地局（ＲＢＳ）などの基地局からサービスを提供されている。基地局は、ネットワークによっては、「ノードＢ」または「Ｂノード」とも呼ばれる。セルは、基地局サイトの無線基地局装置が無線カバレッジを提供する地理的エリアである。各セルは、セルの中でブロードキャストされるローカル無線エリア内のＩＤで識別される。基地局は、基地局の範囲内のユーザ装置ユニット（ＵＥ）と、無線周波数で働くエアインタフェースを通じて通信する。
【０００５】
無線アクセスネットワークの一部のモデル(version)（特に早い時期のモデル）では、通常いくつかの基地局が、無線ネットワーク制御装置（ＲＮＣ）に（例えば、地上通信線またはマイクロ波で）接続されている。無線ネットワーク制御装置は、ときには基地局制御装置（ＢＳＣ）とも呼ばれ、それに接続された複数の基地局の種々の動作を管理および調整する。無線ネットワーク制御装置は、通常、１つ以上のコアネットワークに接続されている。
【０００６】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、広帯域符号分割多元接続（ＷＣＤＭＡ）アクセス技術に基づく、改善した移動通信サービスを提供することを意図している。ＵＴＲＡＮは、本質的に、ユーザ装置ユニット（ＵＥ）に対して広帯域符号分割多元接続を使用する無線アクセスネットワークである。第３世代パートナーシッププロジェクト（３ＧＰＰ）は、ＵＴＲＡＮおよびＧＳＭベースの無線アクセスネットワーク技術をさらに進化させるために取り組んでいる。
【０００７】
Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に関する仕様書作成作業が、第３世代パートナーシッププロジェクト（３ＧＰＰ）内で進行中である。Ｅ−ＵＴＲＡＮは、ＬＴＥ（Ｌｏｎｇ  Ｔｅｒｍ  Ｅｖｏｌｕｔｉｏｎ）およびＳＡＥ（Ｓｙｓｔｅｍ  Ａｒｃｈｉｔｅｃｔｕｒｅ  Ｅｖｏｌｕｔｉｏｎ）を備える。
【０００８】
無線アクセス技術（ＲＡＴ）間ハンドオーバは、移動端末が（ＧＳＭなどの）第１の無線アクセス技術を有する第１の無線アクセスシステムの使用から、（ＵＴＲＡなどの）第２の無線アクセス技術を有する第２の無線アクセスシステムへ切り替えるプロセスである。ＲＡＴ間ハンドオーバは、第１の無線アクセスネットワークのダウンリンク無線接続の品質が一定レベル未満に落ちると通常開始される。無線アクセス技術（ＲＡＴ）間ハンドオーバについては、例えば、その内容全体を参照によって本願明細書に引用したものとする「異なる無線アクセス技術間のハンドオーバ命令(COMMANDING HANDOVER BETWEEN DIFFERING RADIO ACCESS TECHNOLOGIES)」と題された米国特許第７，１８１，２１８号明細書に記載されている。
【０００９】
ＬＴＥ（Ｌｏｎｇ  Ｔｅｒｍ  Ｅｖｏｌｕｔｉｏｎ）は、３ＧＰＰ無線アクセス技術の一変形であり、無線基地局ノードを、無線ネットワーク制御装置（ＲＮＣ）ノードでなくコアネットワークに直接接続している。一般にＬＴＥでは、無線ネットワーク制御装置（ＲＮＣ）ノードの機能は、無線基地局ノードで行われる。このような状況から、ＬＴＥシステムの無線アクセスネットワーク（ＲＡＮ）は、本質的に、無線ネットワーク制御装置（ＲＮＣ）ノードに報告しない無線基地局ノードを備える「フラット」なアーキテクチャを有する。
【００１０】
Ｅ−ＵＴＲＡＮ（Ｅｖｏｌｖｅｄ  ＵＴＲＡＮ）は、ユーザ装置ユニット（ＵＥ）に向けてＥ−ＵＴＲＡ（Ｅｖｏｌｖｅｄ  ＵＴＲＡ）ユーザプレーンおよび制御プレーンのプロトコル終端を提供する、例えば発展型（ｅｖｏｌｖｅｄ）ノードＢまたはｅＮＢなどの発展型基地局ノードを備える。ｅＮＢは、（挙げていない他の機能もあるが）以下の機能をホストする。それらは、（１）無線リソース管理（例えば、無線ベアラ制御、無線アドミッション制御）、接続移動制御、動的リソース割り当て（スケジューリング）の機能、（２）例えばページングメッセージのｅＮＢへの配信などを含む移動性管理エンティティ（ＭＭＥ）、ならびに（３）ＩＰヘッダ圧縮およびユーザデータストリーム暗号化と、ページング理由のＵプレーンパケットの終端と、ＵＥ移動性のサポートのためのＵプレーンの切り替えを含むユーザプレーンエンティティ（ＵＰＥ）である。ｅＮＢは、ユーザプレーンヘッダ圧縮および暗号化の機能を含む、物理（ＰＨＹ）レイヤ、媒体アクセス制御（ＭＡＣ）レイヤ、無線リンク制御（ＲＬＣ）レイヤ、およびパケットデータ制御プロトコル（ＰＤＣＰ）レイヤをホストする。ｅノードＢは、制御プレーンに対応する無線リソース制御（ＲＲＣ）機能も提供する。ｅノードＢは、無線リソース管理、アドミッション制御、スケジューリング、ネゴシエートされたＵＬ  ＱｏＳの実施、セル情報ブロードキャスト、ユーザプレーンおよび制御プレーンのデータの暗号化／解読、ならびにＤＬ／ＵＬユーザプレーンパケットヘッダの圧縮／解凍を含む、多くの機能を実行する。
【００１１】
Ｅ−ＵＴＲＡＮを含む２Ｇおよび３Ｇシステムは、移動機主導ハンドオーバ（ＭＡＨＯ、Mobile Assisted Handover）を使用する。各移動機（ＭＳ）は、サービス提供中の基地局（ＢＳ）の信号品質に加えて、自機の周囲の基地局の信号品質も定期的にモニタし、それらの測定値をサービス提供中の無線基地局に報告してもよい。無線ネットワークは、通常これらの測定値に基づきハンドオーバを開始する。一例として、Ｅ−ＵＴＲＡＮにおいてハンドオーバ（ＨＯ）の準備が整っている場合を考慮する。移動機（ＭＳ）を引き継ぐターゲットまたは候補の基地局（ＢＳ）は、例えば無線リソース設定および必要なＩＤなどの無線アクセスの仕方についての案内を移動機（ＭＳ）に行う。さらに、サービス提供中の基地局（ＢＳ）は、ユーザプレーンデータをターゲット基地局（ＢＳ）に転送する必要が有り、このことは、ターゲット基地局（ＢＳ）を知っていなければならず、かつその一意のＩＤいわゆるセルグローバルＩＤ（ＣＧＩ）を、ＨＯの実行前に確立しなければならないことを意味する。
【００１２】
通常は、各基地局（ＢＳ）に対して定められたローカル識別子（ＩＤ）もある。基地局（ＢＳ）のローカルＩＤは、レイヤ１測定に使用され、長さが足りないのでネットワーク内で一意ではない。例えば、移動機（ＭＳ）は、基地局（ＢＳ）の信号品質をそのローカルＩＤとともに、サービス提供中の基地局（ＢＳ）に報告する。ローカルＩＤは、ネットワーク内で一意でないので、ハンドオーバ（ＨＯ）要件を満たさない。このような状況から、移動機（ＭＳ）を隣接基地局に引き継ぐとき、隣接基地局のＣＧＩを知っていなければならない。それ故、隣接関係リスト（ＮＲＬ、Neighbor Relation List）が、ローカルＩＤからセルグローバルＩＤ（ＣＧＩ）、および場合によってはそれに加えてターゲット基地局（ＢＳ）のＩＰアドレスなどの他の情報へのマッピングを構成するか、または少なくともそれに関与する。
【００１３】
Ｅ−ＵＴＲＡＮの無線カバレッジは当初は限定されるだろうと想像されている。継ぎ目のない移動(seamless mobility)を提供するためには、Ｅ−ＵＴＲＡＮの中の移動機（ＭＳ）をカバレッジの良いＧＥＲＡＮ（ＧＳＭ  ＥＤＧＥ  Ｒａｄｉｏ  Ａｃｃｅｓｓ  Ｎｅｔｗｏｒｋ）またはＵＴＲＡＮなどの代替無線アクセス技術（ＲＡＴ）へハンドオーバ（ＨＯ）する必要がある。２Ｇ（例えばＧＥＲＡＮ）または３Ｇ（例えばＵＴＲＡＮ）からサービスを提供されている移動機（ＭＳ）が、Ｅ−ＵＴＲＡＮのカバレッジ内に入ると直ぐに、Ｅ−ＵＴＲＡＮに切り替えるのも望ましい。このことが望ましいのは、Ｅ−ＵＴＲＡＮがより高速のデータレートを提供し、より広い帯域幅を要求するサービスを可能にするからである。２つの異なるＲＡＴ間のハンドオーバは、ＲＡＴ間（ＩＲＡＴ）ハンドオーバと呼ばれる。また、ＬＴＥは、複数の周波数帯で動作することが計画されている。周波数間ハンドオーバ（ＨＯ）を必要とする、異なる周波数帯間のロードバランシングのような問題を扱うために、ＩＲＡＴおよび周波数間隣接関係リスト（ＮＲＬ）が作成される。
【００１４】
Ｅ−ＵＴＲＡＮ標準化作業の１つの関心の的は、確実に、新しいネットワークの配備を簡単にし、かつ運用の費用効率を高くすることである。構想は、新しいシステムができるだけ多くの面で、自己最適化および自己設定することである。例えば、３ＧＰＰ  ＴＲ  ３２．８１６  「Ｅ−ＵＴＲＡＮおよびＳＡＥの管理に関する検討(Study on Management of E-UTRAN and SAE)」を参照されたい。
【００１５】
ＲＡＴ間／周波数間ＨＯに関しては、サービス提供中の基地局（ＢＳ）がＲＡＴ間／周波数間測定をトリガし、異なるＲＡＴ間／周波数間の比較を行い、ＨＯの判定を行うことができる必要がある。サービス提供中の基地局（ＢＳ）からターゲット基地局（ＢＳ）への（例えば、Ｅ−ＵＴＲＡＮ基地局からＵＴＲＡＮ基地局への）ＨＯの準備のためには、図１３に示すように、以下のイベントが通常行われる必要がある（両軸は、サービス提供中のＢＳの品質と候補ＢＳの品質を表す）。
−サービス提供中の基地局（ＢＳ）の信号品質推定値が一定の閾値（図１３の閾値Ａ）未満に落ちる場合、移動機（ＭＳ）が行うＲＡＴ間／周波数間測定がトリガされる。
−サービス提供中の基地局（ＢＳ）の信号品質推定値が一定の閾値（図１３の閾値Ａ）を超えて上がる場合、移動機（ＭＳ）が行うＲＡＴ間／周波数間測定が停止される。
−サービス提供中の基地局（ＢＳ）の信号品質推定値が一定の閾値（図１３の閾値Ａ）を下回り、かつ候補基地局（ＢＳ）の信号品質推定値が閾値（図１３のＢ）を上回る場合、ＲＡＴ／周波数間ＨＯ手順が開始されてもよい。
【００１６】
受信部を１つだけ有する移動機（ＭＳ）に関しては、ＲＡＴ間／周波数間測定を実行するとき、移動機（ＭＳ）の受信周波数が変更されなければならない。周波数変更時（ＲＡＴ間／周波数間測定中）、移動機（ＭＳ）は、サービス提供中のＲＡＴと通信できない。移動機（ＭＳ）がＲＡＴ間／周波数間測定を実行している状態は、読み取りギャップと呼ばれる。サービス提供中の基地局は、読み取りギャップ中は、移動機（ＭＳ）への送信を避けてもよい。基地局が移動機（ＭＳ）に送信しない状態は、送信ギャップ(transmission gap)と呼ばれる。移動機（ＭＳ）が送信ギャップの時間を使用してＲＡＴ間／周波数間測定をするためには、読み取りギャップを発出(issue)しなければならないことに注意されたい。これ以降は、サービス提供中の基地局（ＢＳ）が送信ギャップを発出するときは、関係する移動機（ＭＳ）が、読み取りギャップを常に発出すると想定する。しかし、基地局（ＢＳ）が送信ギャップを発出していない場合でさえ、移動機（ＭＳ）が読み取りギャップを発出してもよい。ギャップは、図１４に示すように所定のパターンに従って周期的に発生してもよいし、またイベントによってトリガされてもよい。また、ギャップの長さは、固定または可変でもよい。
【００１７】
例えばＥ−ＵＴＲＡＮおよびＵＴＲＡＮなどのいくつかのＲＡＴは、アップリンク（ＵＬ）またはダウンリンク（ＤＬ）またはその両方のデータの動的スケジューリングをサポートし、そこでは、無線リソースが、ユーザの瞬間的なトラヒック需要、ＱｏＳ要件、およびチャネル品質推定値に応じて、ユーザおよび無線ベアラに割り当てられる。基地局（ＢＳ）は、例えばチャネル品質がより高い移動機に、時間または周波数の無線リソースを割り当ててもよい。最小のスケジュール可能リソースエンティティを、これ以降スケジューリングブロック（ＳＢ）と呼ぶ。
【００１８】
一例としてＥ−ＵＴＲＡＮでは、スケジューリングブロック（ＳＢ）は、２つの連続するリソースブロックを備え、合計長は１ｍｓで、帯域幅１８０ｋＨｚである。図１５を参照されたい。この場合、基地局（ＢＳ）は、ＳＢを時間および周波数の両方で移動機に割り当てる。Ｅ−ＵＴＲＡＮでは、移動機（ＭＳ）が、ＤＬの品質を示すチャネル品質インジケータ（ＣＱＩ）レポートを報告するように構成されてもよい。ＣＱＩレポートおよびＱｏＳ要件に基づき、スケジューラがＳＢを割り当てる。
【先行技術文献】
【特許文献】
【００１９】
【特許文献１】米国特許第７，１８１，２１８号明細書
【特許文献２】国際出願ＰＣＴ／ＥＰ２００７／００１７３７号明細書
【非特許文献】
【００２０】
【非特許文献１】３ＧＰＰ  ＴＲ  ３２．８１６  「Ｅ−ＵＴＲＡＮおよびＳＡＥの管理に関する検討(Study on Management of E-UTRAN and SAE)」
【非特許文献２】３ＧＰＰ  ＴＳ  ４５．００２  「無線パスにおける多重化および多元接続(Multiplexing and multiple access on the radio path)」
【非特許文献３】３ＧＰＰ  ＴＳ  ２５．３３１  「無線リソース制御（ＲＲＣ）：プロトコル仕様(Radio Resource Control (RRC); Protocol specification)」
【発明の概要】
【発明が解決しようとする課題】
【００２１】
２Ｇ（例えば、ＧＥＲＡＮ）システムおよび３Ｇ（例えば、ＵＴＲＡＮ）システムではこれまで、基地局（ＢＳ）の設置前にプランニングツールを使用したカバレッジ予測を用いて、ＮＲＬリストが配備された。地形データおよび波動伝播モデルの不正確さに起因する予測誤差のために、オペレータは、すべてのハンドオーバ領域およびこのような状況から隣接基地局を確認するために、カバレッジ領域を完全に調べ尽くす車両／歩行によるテストを行うことを強いられている。無線ネットワークが新しいセルおよび干渉環境の変化で時間とともに徐々に進化するので、ＮＲＬの従来の計画では、計画手順の反復繰り返しを必要とする。これは高く付くことが分かっており、自動的にＮＲＬを導き出す新しい方法が求められている。従って、ＮＲＬを生成および更新する運用中に自動的にできるやり方の使用が不可欠である。
【００２２】
ＮＲＬ管理の自動化を目指した既知の既存の解決手段は、例えばＧＥＲＡＮまたはＵＴＲＡＮなどの、１つの特定のＲＡＴだけを取り扱っている。例えば、その内容全体を参照によって本願明細書に引用した、２００７年２月２８日出願のＰＣＴ特許出願であるＰＣＴ／ＥＰ２００７／００１７３７号を参照されたい。１つのタイプのＲＡＴに関しては、ＮＲＬ管理が自動化されているけれども、異なるＲＡＴ／周波数に関してのＮＲＬ作成の問題は、これまでに解決されていない。従来は、これらのＲＡＴ間／周波数間ＮＲＬは、地理的情報および車両／歩行によるテストを使用して手作業で導き出されていた。これは、かなり退屈で高く付くことが分かっており、ネットワーク自体がＮＲＬを作成および構成する新しい自動化方法が必要である。
【００２３】
それ故、必要とされているもので、かつ本発明の一目的は、ＲＡＴ間／周波数間における移動性のために、隣接関係リストで利用されるようなＲＡＴ間測定値および情報を作成し管理するための装置、方法および技法である。
【課題を解決するための手段】
【００２４】
本技術は、例えばＥ−ＵＴＡＮにおいてＧＥＲＡＮおよびＵＴＲＡＮの隣接基地局を有する隣接関係リスト（ＮＲＬ）などの、他のＲＡＴ／周波数の隣接基地局との関係を自動的に管理する装置、方法および技法を提供する。本技術は、以下を包含する。
−移動機（ＭＳ）の測定を使用して、新しいＲＡＴ間／周波数間の隣接基地局を検出する方法および装置
−サービス提供中のＲＡＴ／周波数において進行中のトラヒックをほとんどかまたは全く妨害せずに、隣接基地局（ＢＳ）のＣＧＩを取り出す方法および装置
−新しい隣接基地局の確証およびＮＲＬの更新のための方法および装置
本技術は、例えば、ＲＡＴ間／周波数間における継ぎ目のない移動のために必要なＲＡＴ間／周波数間ＮＲＬの計画および維持に関して、オペレータ費用を減少する有利な働きをする。
【００２５】
その態様の中の１つでは、本技術が、サービス提供中の無線基地局および候補無線基地局を備える通信システムを動作させる方法に関する。サービス提供中の無線基地局は、無線移動機が測定レポートを提供する無線基地局を備える。サービス提供中の無線基地局と候補無線基地局とは、周波数および無線アクセス技術の少なくとも１つが異なる。方法は、サービス提供中の無線基地局が移動機に候補無線基地局からブロードキャストされる情報の取得を許可する工程と、移動機が少なくとも１つの読み取りギャップ中に候補無線基地局から情報を取得する工程とを備える。情報は、候補無線基地局のセルグローバルＩＤ（ＣＧＩ）を特定する（突き止める）ための情報か、またはその無線基地局のセルグローバルＩＤ（ＣＧＩ）自体である。読み取りギャップは、移動機がサービス提供中の無線基地局から情報を受信しない期間である。
【００２６】
情報は、種々の形態を取ってもよい。例えば、内容およびタイミングに応じて、情報は候補無線基地局の同期情報、候補無線基地局のローカル識別情報、候補無線基地局のセルグローバルＩＤ（ＣＧＩ）を特定するための情報、またはセルグローバルＩＤ（ＣＧＩ）自体でさえよい。
【００２７】
第１の実施形態および実施モードでは、方法が、サービス提供中の無線基地局が移動機に送信ギャップ（送信ギャップは、移動機が候補無線基地局から情報を取得できる所定の期間を有する）を発出する工程と、移動機が送信ギャップ中に候補無線基地局から情報を取得する工程とをさらに備える。
【００２８】
第１の実施形態および実施モードの変形では、移動機が、サービス提供中の無線基地局に自機が少なくとも１つの（移動機が候補無線基地局から情報を取得できる所定の期間を有する）読み取りギャップを発出すると通知し、それに応えて、サービス提供中の無線基地局が移動機に送信ギャップを発出する。
【００２９】
第２の実施形態および実施モードでは、方法が、サービス提供中の無線基地局が送信ギャップを開始し、移動機に候補無線基地局からブロードキャストされる情報の取得を許可する工程と、サービス提供中の無線基地局が、移動機からの情報を受信すると直ぐに送信ギャップを終了する工程とをさらに備える。
【００３０】
第２の実施形態および実施モードの変形では、移動機が、サービス提供中の無線基地局に送信ギャップを発出するように要求し、要求すると直ぐに、移動機は、情報を取得するために読み取りギャップを開始する。
【００３１】
第３の実施形態および実施モードでは、方法が、サービス提供中の無線基地局が移動機に固定長の周期的送信ギャップ（それによって、例えば、少なくとも１つの送信ギャップが、候補無線基地局内に情報をブロードキャストしている候補無線基地局のブロードキャストフレームに整列される）を発出する工程と、移動機が周期的送信ギャップの１送信ギャップ中に情報を取得する工程とをさらに備える。
【００３２】
第４の実施形態および実施モードでは、方法が、移動機が候補無線基地局から情報を取得するために少なくとも１つの読み取りギャップを発出する工程と、読み取りギャップ中にサービス提供中の無線基地局からの送信を無視する工程とをさらに備える。第４の実施形態および実施モードの拡大では、移動機が反復要求手順を用いて少なくとも１つの読み取りギャップ中に失われたフレームをさらに回復する工程を備える。
【００３３】
あるいは、移動機からの所定のレポートの非受信は、移動機が少なくとも１つの読み取りギャップを発出していることを示し、それに応じてサービス提供中の無線基地局と移動機との間の通信を（例えば、移動機への送信優先順位の引き下げによって、または移動機へのスケジューリングリソース割り当ての中止によって）変更する。
【００３４】
さらなる態様として、本技術は、サービス提供中の無線基地局による隣接関係リストハンドラへの情報の提供をさらに備えてもよい。
【００３５】
一例で示される使用状況または使用環境では、候補無線基地局がＧＥＲＡＮ無線アクセスネットワークに属し、サービス提供中の無線基地局が別の無線アクセス技術（例えば、ＵＴＲＡＮ）に属する。反対に、別の例で示される使用状況または使用環境では、候補無線基地局がＵＴＲＡＮ無線アクセスネットワークに属し、サービス提供中の無線基地局が別の無線アクセス技術に属する。
【００３６】
その態様の中の別の態様では、本技術が、サービス提供中の無線基地局および候補無線基地局を備える通信システムにおける無線動作用に構成された移動機に関する。移動機（ＭＳ）は、１つ以上のトランシーバおよび１つの移動機測定通信機能を備える。１つ以上のトランシーバは、移動機とサービス提供中の無線基地局との間、および移動機と候補無線基地局との間の無線通信を実施するように構成されている。移動機測定通信機能は、少なくとも１つの読み取りギャップ中に候補無線基地局から情報を取得するように構成され、情報は、候補無線基地局のセルグローバルＩＤ（ＣＧＩ）を特定するための情報か、またはその無線基地局のセルグローバルＩＤ（ＣＧＩ）自体である。一実施例では、移動機測定通信機能は、少なくとも１つの読み取りギャップ中に候補無線基地局から第１のタイプの情報を取得し、少なくとも別の１つの読み取りギャップ中に候補無線基地局から第２のタイプの情報を取得するように構成されており、各読み取りギャップは、移動機がサービス提供中の無線基地局から情報を受信しない期間である。
【００３７】
その態様の中の別の態様では、本技術が、サービス提供中の無線基地局および候補無線基地局に加えて移動機を備える通信システムにおける無線動作用に構成された基地局に関する。基地局は、トランシーバおよび基地局測定通信機能を備える。トランシーバは、移動機とサービス提供中の無線基地局との間および移動機と候補無線基地局との間の無線伝送を実施するように構成されている。基地局測定通信機能は、移動機に少なくとも１つの読み取りギャップ中の候補無線基地局からの情報の取得を許可し、情報は、候補無線基地局のセルグローバルＩＤ（ＣＧＩ）を特定するための情報か、またはその無線基地局のセルグローバルＩＤ（ＣＧＩ）自体である。一実施例では、基地局測定通信機能は、移動機に少なくとも１つの読み取りギャップ中の候補無線基地局からの第１のタイプの情報の取得を許可し、移動機に少なくとも別の１つの読み取りギャップ中の候補無線基地局からの第２のタイプの情報の取得を許可し、各読み取りギャップは、移動機がサービス提供中の無線基地局から情報を受信しない期間である。
【００３８】
実施形態のいくつかの例では、候補基地局の最終的に必要な情報（例えば、セルグローバルＩＤ（ＣＧＩ））を取得するために、２段階情報取得手順を使用してもよい。２段階情報取得手順では、まず第１のタイプの情報が候補基地局から取得される。第１のタイプの情報は、候補基地局から第２のタイプの情報（例えば、ＣＧＩなどの最終的に求められている情報）をどのように取得するかを決定するために活用される。従って、一例の実施形態および実施モードでは、方法が、以下の動作を含む動作を備える。（ａ）移動機が、少なくとも１つの読み取りギャップ中に候補無線基地局から第１のタイプの情報を取得し（読み取りギャップは、移動機がサービス提供中の無線基地局から情報を受信しない期間である）、（ｂ）第１のタイプの情報を使用して、候補無線基地局からブロードキャストされる第２のタイプの情報をどのように取得するかを決定し、（ｃ）サービス提供中の無線基地局が、移動機に候補無線基地局からブロードキャストされる第２のタイプの情報の取得を許可し、（ｄ）移動機が、少なくとも別の１つの読み取りギャップ中に候補無線基地局から第２のタイプの情報を取得する。
【００３９】
前述の実施形態および方法では、第１のタイプの情報が、候補無線基地局の同期情報、または候補無線基地局のローカル識別情報、または候補無線基地局のセルグローバルＩＤ（ＣＧＩ）を特定するための情報、またはセルグローバルＩＤ（ＣＧＩ）自体またはそれらの１つ以上でもよい。
【００４０】
本発明の、前述の、および他の目的、特徴および利点は、参照文字が種々の図面のすべてにおいて同じ部分を指す添付の図面に示す、好ましい実施形態についての以下のより詳細な説明から明らかになるであろう。図は、必ずしも一定の率で拡大縮小されておらず、代わりに本発明の原理を明らかにするために強調が行われている。
【図面の簡単な説明】
【００４１】
【図１】第１のタイプの無線アクセス技術を有する第１の無線アクセスネットワークと第２のタイプの無線アクセス技術を有する第２の無線アクセスネットワークの、両方とともに動作する通信システムの線図である。
【図２】第１のタイプの無線アクセス技術を有する第１の無線アクセスネットワークと第２のタイプの無線アクセス技術を有する第２の無線アクセスネットワークの、両方とともに動作する通信システムの線図である。
【図３】一例であるＲＡＴ間／周波数間ハンドオーバに関わる代表的な移動端末および無線アクセスネットワークノードのある態様例を示す、単純化した機能ブロック図である。
【図４】サービス提供中の無線基地局と候補無線基地局が異なるＲＡＴまたは周波数またはその両方に属する、ＲＡＴ間／周波数間の隣接基地局の検出および識別のために行う測定に関係した、サービス提供中の無線基地局と移動機（ＭＳ）と候補無線基地局との間の通信を示す線図である。
【図５】移動機（ＭＳ）が読み取りギャップ中にサービス提供中の無線基地局から受信できないことと、要求帯域幅の狭い移動機（例えば、移動機Ａ）に比べて、要求帯域幅の広いまたはスケジューリングブロックの要求数の多い移動機（例えば、移動機Ｂ）のサービス品質（ＱｏＳ）（帯域幅またはレイテンシまたはその両方）が大幅に低下することがあることを示す線図である。
【図６】ＲＡＴ間／周波数間測定閾値が対応するハンドオーバ閾値より高く設定されてもよいことを示すグラフ図である。
【図７】送信ギャップが所望の情報を見つけるのに十分に長く設定されている一例（例えば、悪い場合のシナリオ）である実施形態および実施モードの例証を示す線図である。
【図８】所望の情報が取得され報告されるまで送信ギャップが発生している一例である実施形態および実施モードの例証を示す線図である（図８では、移動機（ＭＳ）とサービス提供中の無線基地局との間のシグナリング遅延が除かれるが、送信ギャップの終了は図８で示されるより遅くなるであろう）。
【図９】スライディング送信ギャップを使用する一例である実施形態および実施モードの例証を示す線図である。
【図１０】一例である２段階情報取得手順に関わる例示の代表的動作またはステップを示すフロー図である。
【図１１】サービス提供中の無線基地局と候補無線基地局が異なるＲＡＴまたは周波数またはその両方に属し、特に、移動機（ＭＳ）が候補ＢＳからブロードキャストされる情報に関するフレーム番号またはスケジューリング情報を測定して、候補無線基地局のＣＧＩが送信される時間間隔を計算し、セルグローバルＩＤ（ＣＧＩ）がいつ測定されるかをサービス提供中のＲＡＴに通知する、ＲＡＴ間／周波数間の隣接基地局の検出および識別のために行う測定に関係した、サービス提供中の無線基地局と移動機（ＭＳ）と候補無線基地局との間の通信を示す線図である。
【図１２】サービス提供中の無線基地局と候補無線基地局が異なるＲＡＴまたは周波数またはその両方に属し、特に、移動機（ＭＳ）がスケジューリング情報のフレーム番号を測定して、サービス提供中の無線基地局が、候補無線基地局のセルグローバルＩＤ（ＣＧＩ）が送信される時間間隔を計算し、セルグローバルＩＤ（ＣＧＩ）を特定の方法を使用していつ測定すべきかを移動機（ＭＳ）に通知する、ＲＡＴ間／周波数間の隣接基地局の検出および識別のために行う測定に関係した、サービス提供中の無線基地局と移動機（ＭＳ）と候補無線基地局との間の通信を示す線図である。
【図１３】移動機（ＭＳ）が、サービス提供中の無線基地局のカバレッジから異なる無線アクセス技術（ＲＡＴ）または異なる周波数またはその両方を有する候補無線基地局のカバレッジに移動する時の、信号品質を示すグラフ図である。
【図１４】ＲＡＴ間／周波数間測定を実行するとき、移動機（ＭＳ）がサービス提供中の無線基地局と候補無線基地局との間をどのように交互に切り替ってもよいかを示し、特に、読み取りギャップが一定の周期で発生し、ギャップ長が変わらない場合を示す線図である。
【図１５】リソースが移動機（ＭＳ）に周波数と時間の両方で割り当てられるＥ−ＵＴＲＡＮにおけるスケジューリングを示す線図である。
【発明を実施するための形態】
【００４２】
以下の記述では、本発明の完全な理解を提供する手段として、限定でなく説明のために、特定のアーキテクチャ、インタフェース、技法等のような具体的な詳細を記載する。しかし、本発明がこれらの具体的な詳細から離れた他の実施形態で実践されてもよいことは、当業者には明らかであろう。すなわち、当業者は、本明細書に明示的に記述も図示もされていないが、本発明の原理を具体化し、その精神および範囲内に含まれる種々のアレンジメント(arrangement)を考案できるであろう。場合によっては、周知のデバイス、回路および方法の詳細記述は、不要な詳細で本発明の記述を不明瞭にしないように省略している。本発明の原理、態様および実施形態、ならびにこれらの具体的な例を挙げる本明細書のすべての記述は、これらの構造上と機能上の両方の均等物を包含することを意図している。さらに、そのような均等物は、現在公知の均等物と、将来開発される均等物すなわち構造にかかわらず同じ機能を実行するあらゆる開発要素との、両方を含むことを意図している。
【００４３】
従って、例えば、本明細書のブロック図が、本技術の原理を具体化する実例となる回路の概念図を表してもよいことを、当業者は理解するであろう。同様に、フロー図、状態遷移図、疑似コード、および同種のものが、コンピュータで読み取り可能な媒体に実質的に表され、コンピュータまたはプロセッサが明示的に図示されているか否かに関わらず、そのようなコンピュータまたはプロセッサによって実行され得る種々のプロセスを表すことも理解されるであろう。
【００４４】
「プロセッサ」または「コントローラ」と名付けられたかまたは記述された機能ブロックを含む種々の要素の機能は、専用ハードウェアの使用によって、および適切なソフトウェアと連携したソフトウェア実行能力のあるハードウェアの使用によって提供されてもよい。プロセッサによって提供されるとき、機能は、単一の専用プロセッサによって、単一の共用プロセッサによって、または一部が共用または分散されてもよい複数の個別プロセッサによって提供されてもよい。さらに、「プロセッサ」または「コントローラ」という用語の明示的使用は、ソフトウェア実行能力のあるハードウェアをもっぱら指すと解釈されるべきでなく、デジタル信号プロセッサ（ＤＳＰ）ハードウェア、ソフトウェア格納用のリードオンリメモリ（ＲＯＭ）、ランダムアクセスメモリ（ＲＡＭ）、および不揮発性記憶装置を含んでもよいが、これらに限定されない。
１．０  概観
１．１  構造上の概観例
図１は、第１の無線アクセスネットワーク１２と第２の無線アクセスネットワーク１４の両方とともに動作する一例である通信システム１０を示す。図１の一例である通信システム１０では、第１の無線アクセスネットワーク１２が、第１のタイプの無線アクセス技術（ＲＡＴ）を有し、第２の無線アクセスネットワーク１４が、第２のタイプの無線アクセス技術を有する。図１に示す非限定例では、たまたま、第１の無線アクセスネットワーク１２が、ＧＥＲＡＮ無線アクセス技術を使用しているのに対して、第２の無線アクセスネットワーク１４は、ＵＴＲＡＮ（またはＥ−ＵＴＲＡＮ）無線アクセス技術を使用している。第１の無線アクセスネットワーク１２も第２の無線アクセスネットワーク１４も、外部コアネットワーク１６に接続されており、外部コアネットワーク１６は（例えば）公衆交換電話網（ＰＳＴＮ）またはサービス総合デジタル網（ＩＳＤＮ）またはその両方でもよい。コアネットワーク１６は、隣接関係リスト（ＮＲＬ）ハンドラ１８を備えてもよい、あるいはそれにアクセスできてもよい。
【００４５】
第１の無線アクセスネットワーク１２も第２の無線アクセスネットワーク１４も、総称的に「基地局」と呼ばれる無線基地局を備え、状況によっては、１つ以上の基地局を管理する基地局制御装置（ＢＳＣ）または無線ネットワーク制御装置（ＲＮＣ）などの制御ノードを有する。第１の無線アクセスネットワーク１２と第２の無線アクセスネットワーク１４の一方または両方が制御ノードを有するかどうかは、特定の無線アクセスネットワークの固有のアーキテクチャに依存する。一部の無線アクセスネットワーク（Ｅ−ＵＴＲＡＮなど）が、前に説明したように、制御ノードを除去して、種々の機能を基地局に統合することによって達成された本質的にフラットな構造を有するからである。図１に示す特定の例では、説明のために、第１の無線アクセスネットワーク１２が、ＧＥＲＡＮタイプの無線アクセスネットワークであると仮定され、第２の無線アクセスネットワーク１４が、ＵＴＲＡＮであると仮定されており、（一部のタイプの無線アクセスネットワークにおいての状況に応じた存在を示すために破線ではあるが）管理ノードが示されている。
【００４６】
このようなことから、第１の無線アクセスネットワーク１２は、１つ以上の基地局制御装置（ＢＳＣ）２６Gを有し、各基地局制御装置（ＢＳＣ）２６Gは、１つ以上の基地局（ＢＴＳ）２８Gを制御する。図１に示す例では、基地局制御装置（ＢＳＣ）２６Gは２つの基地局、詳しくは基地局（ＢＴＳ）２８G-1および基地局（ＢＴＳ）２８G-2に接続されている。各基地局（ＢＴＳ）２８Gは、図１では、３つのセルＣにサービスを提供しているように描かれている。各セルＣは、それぞれの基地局に隣接した円で表されている。従って、基地局は１つを超えるセルにエアインタフェースを通して通信サービスを提供してもよく、異なる基地局は異なる数のセルにサービスを提供してもよいことを、当業者は理解するであろう。基地局制御装置（ＢＳＣ）２６Gは、例えば図１に示されるセルＣGなどの、１組のセル内の無線リソースおよび無線接続を制御する。各基地局（ＢＴＳ）２８Gは、１つ以上のセル内の無線送受信を扱う。
【００４７】
第２の無線アクセスネットワーク１４は、１つ以上の無線ネットワーク制御装置（ＲＮＣ）２６Uを有する。単純にするために、図１のＵＴＲＡＮ１４は、１つのＲＮＣノードだけを有するように示されているが、通常は、１つを超えるそのようなノードがたいてい設けられている。ＲＮＣノード２６Uは、複数の基地局（ＢＳ）２８Uに接続されている。例えば、この場合もやはり単純にするために、２つの基地局ノードである基地局（ＢＳ）２８U-1および基地局（ＢＳ）２８U-2が、ＲＮＣ２６Uに接続されて示されている。異なる数の基地局がＲＮＣからサービスを提供されてもよく、ＲＮＣが同じ数の基地局にサービスを提供する必要がないことも、やはり理解されるであろう。ＧＥＲＡＮネットワーク１２と同様に、ＵＴＲＡＮネットワーク１４でも、単純にするために、各基地局２８Uは３つのセルにサービスを提供するように示されている（それらのセルのそれぞれは、少なくとも一部はＣUと名付けられている）。第２の無線アクセスネットワーク（ＵＴＲＡＮネットワーク）１４では、無線ネットワーク制御装置（ＲＮＣ）２６Uが、１組のセルＣU内の無線リソースおよび無線接続を制御するのに対して、基地局（ＢＳ）２８Uは、１つ以上のセル内の無線送受信を扱う。
【００４８】
図１には、無線移動機（ＭＳ）３０が示されている。本明細書で使用する限り、用語「移動機」は、前に説明したように、移動機の観念とユーザ装置ユニット（ＵＥ）の観念の両方、さらに他の概念も包括的に包含する。本明細書で説明するように、無線アクセスネットワークの中の一方（第１の無線アクセスネットワーク１２かまたは第２の無線アクセスネットワーク１４）の基地局の中の１つが、移動機（ＭＳ）３０に対するサービス提供中の基地局として働き、他方の無線アクセスネットワークの基地局の別の１つが、移動機（ＭＳ）３０に対する候補無線基地局であってもよい。従って、例えば、第１の無線アクセスネットワーク１２のセルＣG-2-3が、移動機（ＭＳ）３０に対するサービス提供中の基地局でもよいが、近さまたは受信またはその両方を考慮すると、セルＣU-1-1が、候補基地局であってもよい。逆のこともまた起こることができよう。
【００４９】
図２は、第１の無線アクセスネットワーク１２’と第２の無線アクセスネットワーク１４’の両方とともに動作する別の例の通信システム１０’を示す。図２の例の通信システム１０’では、第１の無線アクセスネットワーク１２’が第１の無線周波数（ｆ１）で動作するのに対して、第２の無線アクセスネットワーク１４’が第２の周波数（ｆ２）で動作する。図１の例と同様に、第１の無線アクセスネットワーク１２’と第２の無線アクセスネットワーク１４’の両方とも、外部コアネットワーク１６に接続されており、この外部コアネットワーク１６は、隣接関係リスト（ＮＲＬ）ハンドラ１８を備えてもよい、あるいはそれにアクセスできてもよい。
【００５０】
第１の無線アクセスネットワーク１２’は、１つ以上の基地局制御装置（ＢＳＣ）２６1fを状況によっては備え、図１とほぼ同じように、（配備されると）各基地局制御装置（ＢＳＣ）２６1fは、１つ以上の基地局（ＢＴＳ）２８1fを制御し、基地局（ＢＴＳ）２８1fは、セルＣ1fにサービスを提供する。同様に、第２の無線アクセスネットワーク１４’は１つ以上の無線ネットワーク制御装置（ＲＮＣ）２６2fを状況によっては備え、（配備されると）各ＲＮＣノード２６2fは、セルＣ2fにサービスを提供する１つ以上の基地局（ＢＴＳ）２８2fに接続される。
【００５１】
本明細書に記載する技術が、（異なる無線アクセス技術タイプの無線アクセスネットワークを備える）図１に描写されるＲＡＴ間タイプの動作と、（異なる無線周波数の無線アクセスネットワークを備える）図２に描写される周波数間タイプの動作の一方または両方に関することが、理解されるべきである。この理由のために、包含的な命名であるＲＡＴ間／周波数間を採用している。以降の図の参照を含むこれからの全部の説明は、具体的に異なって記述されるかまたは文脈から明らかでない限り、例えばＲＡＴ間と周波数間の両方の、両タイプの動作を包含する。
【００５２】
ＲＡＴ間動作と周波数間動作の両方に対する技術の適用性を考慮して、図３は、サービス提供中の基地局２８Sおよび候補無線基地局２８Cを一般的に示す。サービス提供中の基地局２８Sがあるタイプの無線アクセス技術に属してもよいのに対して、候補無線基地局２８Cは別のタイプの無線アクセス技術に属してもよい。このような例では、サービス提供中の基地局２８Sおよび候補基地局２８Cの無線アクセスネットワークで、どのタイプの異なる無線アクセス技術が採用されるかについては、図３の目的のためには少しも違いを生じない。あるいは、サービス提供中の基地局２８Sが、第１の周波数で動作する無線アクセスネットワーク（または基地局）に属してもよいのに対して、候補無線基地局２８Cは、第１の周波数で動作する無線アクセスネットワーク（または基地局）に属してもよい。図３は、サービス提供中の基地局２８Sおよび候補無線基地局２８Cが、（状況に応じて）ＢＳＣ／ＲＮＣタイプのノードなどの制御ノード、詳しくはそれぞれノード２６Sおよび２６Cに接続されることを示している。図３は、移動機（ＭＳ）３０の選ばれた一般的側面と、サービス提供中の基地局２８Sおよび候補基地局２８Cの選ばれた機能とを示す。
【００５３】
図３に示される移動機（ＭＳ）３０は、移動機（ＭＳ）３０が必要とする種々の動作を制御するデータ処理制御部３１を有する。移動機（ＭＳ）３０のデータ処理制御部３１は、移動端末ＲＡＴ間／周波数間ハンドオーバ機能４０および測定通信機能４２を有し、それらの用途については、以降でより詳細に記述する。さらに、データ処理制御部３１は、アンテナ３５に接続された無線トランシーバ３３に制御信号およびデータを提供する。測定通信機能４２は、測定値または情報（例えば、潜在的なハンドオーバ目的のための測定値または情報）の要求または取得に関わる、サービス提供中の基地局２８Sおよび候補無線基地局２８Cとの通信を制御する。ＲＡＴ間／周波数間ハンドオーバ機能４０は、ハンドオーバ実施決定時に、実際に呼び出される。
【００５４】
例であり網羅的でない記述として、図３に示されるサービス提供中の基地局２８Sも候補基地局２８Cも、基地局データ処理制御部３６を備え、これは、１つ以上の基地局トランシーバ（ＴＸ／ＲＸ）３８に接続されている。各基地局トランシーバ（ＴＸ／ＲＸ）３８は、対応するアンテナ３９に接続され、アンテナ３９の中の適切なアンテナによって、エアインタフェースを通じて移動機（ＭＳ）３０と通信する。
【００５５】
サービス提供中の基地局２８Sおよび候補無線基地局２８Cのそれぞれのデータ処理制御部３６は、ＲＡＴ間／周波数間ハンドオーバ機能５０および測定通信機能５２を備える。例えば、サービス提供中の基地局２８Sが、ＲＡＴ間／周波数間ハンドオーバ機能５０Sおよび測定通信機能５２Sを備えるのに対して、候補基地局２８Cは、ＲＡＴ間／周波数間ハンドオーバ機能５０Cおよび測定通信機能５２Cを備える。各基地局において、それぞれの測定通信機能５２は、測定値または情報（例えば、潜在的なハンドオーバ目的のための測定値または情報）を要求または取得するために、移動機（ＭＳ）３０との通信を制御し、それぞれのＲＡＴ間／周波数間ハンドオーバ機能５０は、ハンドオーバ実施決定時に呼び出される。
【００５６】
移動端末ＲＡＴ間ハンドオーバ機能４０、または測定通信機能４２、またはＲＡＴ間／周波数間ハンドオーバ機能５０、または測定通信機能５２のどれかまたはすべては、本明細書ではコントローラおよびプロセッサという用語を拡張的に表現しているので、コントローラまたはプロセッサを備えてもよい。これらの機能については、説明のぴったりの時に具体的に言及していないが、本明細書に記載の動作の実行に関与し、上に簡潔に要約している。
１．２  動作例の概観
図４は、ＲＡＴ間／周波数間測定シナリオを備える、ある例示の非限定の基本的な動作およびステップを示す。セクション２．０に記述するトリガ条件を使用して選択されたある移動機によるＲＡＴ間／周波数間測定が、図４の動作（１）に示されるように、新しいＲＡＴ間／周波数間の隣接基地局を検出するために使用される。例えばルールおよび閾値を備える実際のトリガ条件を満足するかどうか、基地局（ＢＳ）または移動機（ＭＳ）において評価してもよい。基地局（ＢＳ）の場合には、基地局（ＢＳ）が移動機（ＭＳ）から測定値を受信し、トリガ条件を満足するかどうか評価する。移動機（ＭＳ）の場合には、基地局（ＢＳ）が移動機（ＭＳ）にトリガ条件を通知し、移動機（ＭＳ）が条件を満足するかどうか評価し、トリガ条件が満足されると直ぐに、ＲＡＴ間／周波数間測定を開始する。基地局（ＢＳ）から移動機（ＭＳ）へ送信する測定構成（図４の動作（１））には、基地局（ＢＳ）が、測定を実行するために必要な情報（例えば、ＧＥＲＡＮ  ＢＳに関しては絶対無線周波数チャネル番号（ＡＲＦＣＮ）、ならびにＵＴＲＡＮ  ＢＳに関してはＡＲＦＣＮおよびスクランブリングコード）を含めてもよい。
【００５７】
移動機（ＭＳ）は、セクション２．０のトリガ条件が満足されると直ぐに、周りのＲＡＴ間／周波数間の基地局の信号品質を測定する。読み取りギャップ中に（上で説明）、図４の動作（２ａ）に示されるように測定が行われ、（図４の動作（２ｂ）に示されるように）各測定結果は、基地局（ＢＳ）のローカルＩＤとともにサービス提供中の基地局（ＢＳ）に報告される。ローカルＩＤは、例えばＧＥＲＡＮに関しては基地局ＩＤコード（ＢＳＩＣ）、またＵＴＲＡＮに関してはスクランブリングコードなどの形態を取ってもよい。
【００５８】
サービス提供中の基地局（ＢＳ）が報告されたローカルＩＤを有する隣接基地局（ＢＳ）について事前知識を持っていない場合、サービス提供中の基地局（ＢＳ）は、図４の動作（３）に示されるように、移動機（ＭＳ）にＣＧＩ測定要求を送信してもよい。図４の動作（４ｂ）に示されるように、移動機（ＭＳ）は、例えばセクション３．０に提示される実施形態および実施モードの１つを使用して、候補無線基地局（ＢＳ）のセルグローバルＩＤ（ＣＧＩ）を測定し、（動作（４ａ）に示されるように）そのセルグローバルＩＤ（ＣＧＩ）をサービス提供中の基地局（ＢＳ）に報告する。一例である実施形態では、移動機測定通信機能４２は、図４の動作（４ｂ）にあるような候補基地局（ＢＳ）のセルグローバルＩＤ（ＣＧＩ）を測定する動作、および図４の動作（４ａ）にあるようなサービス提供中の基地局（ＢＳ）へのセルグローバルＩＤ（ＣＧＩ）の報告を含む、図４の動作より成る通信を送受信するように構成されてもよい。一例である実施形態では、基地局測定通信機能５２は、図４に示されるような通信で、かつ移動機に図４の動作の実行を可能にするかまたは許可する通信を、送受信するように構成されてもよい。
【００５９】
ＲＡＴ間／周波数間測定レポートおよびルックアップから取り出した情報に基づき、候補無線基地局（ＢＳ）が、サービス提供中の基地局（ＢＳ）の隣接関係リスト（ＮＲＬ）に加えられてもよい。図４の運用動作（５）に示されるように、サービス提供中の基地局（ＢＳ）は、新しく検出した候補無線基地局（ＢＳ）について、運用支援システム（ＯＳＳ）または他の任意の管理ノードなどのＮＲＬハンドラに通知してもよい。図４の運用動作（６）に示されるように、ＮＲＬハンドラは、新しい隣接関係に関して候補無線基地局（ＢＳ）に通知する。そのように通知されると、候補基地局（ＢＳ）は、そのＮＲＬの中にサービス提供中の基地局（ＢＳ）に対応するエントリを加える。
２．０  ＲＡＴ間／周波数間測定のトリガ
ＲＡＴ間／周波数間測定に関して、種々のトリガ基準が可能である。提案の基準は以下を含むが、これらに限定されない。
ａ）低データレートの移動機がＲＡＴ間／周波数間測定を行う。劣悪なチャネル品質による再送信によって、移動機（ＭＳ）のサービスに必要なデータより大きいデータが実際に送信されることがある。それ故、測定のために移動機を選択する基準は、移動機（ＭＳ）と実際に伝送されるＵＬおよびＤＬのデータレートに基づかなければならない。
ｂ）サービス提供中の基地局（ＢＳ）の信号品質推定値が所与の閾値（図６の閾値Ｃ参照）を下回る移動機が、ＲＡＴ間／周波数間測定を行う。
【００６０】
上述の基準を考慮すると、例えば図１５に関する説明から、スケジューリングブロック（ＳＢ）が最小のスケジューリングエンティティであり、基地局（ＢＳ）は特定の移動機（ＭＳ）に対する再送信を含むＵＬおよびＤＬ伝送を制御してもよいことを思い出されたい。ＲＡＴ間／周波数間測定の実行時、サービス例えばビデオストリーミングへの影響は、図５に示されように、スケジューリングブロック（ＳＢ）の必要数が少ない移動機に対してより小さい。このような状況から、スケジュールされたスケジューリングブロック（ＳＢ）の平均数が少ない移動機が、ＲＡＴ間／周波数間測定を行うべきである。
【００６１】
基準ｂ）で使用される閾値は、ＲＡＴ間／周波数間ハンドオーバ測定に使用されるのと同じ閾値（例えば、図６の閾値Ａ）でもよいし、また移動機（ＭＳ）がサービスエリア外に出る前にＲＡＴ間／周波数間の隣接基地局を確実に見つけるために、ハンドオーバ閾値を上回って（例えば、図６の閾値Ａを上回る、図６の閾値Ｃなどに）設定されてもよい。
【００６２】
トリガ基準ａ）およびｂ）の使用、ならびに基準ｂ）で使用される閾値の設定は、異なる状況では変わってもよい。例えば、新しく配備された基地局（ＢＳ）は、多くの未知の隣接基地局を有することがあり、それらを素早く見つけるために、両方の選択肢ａ）およびｂ）を使用できよう。新しく配備された基地局（ＢＳ）では、ＲＡＴ間／周波数間閾値（図６のＣ）をハンドオーバ（ＨＯ）測定閾値より高く設定するのも適切なことがある。かなりの期間ネットワークにある基地局（ＢＳ）に関しては、隣接基地局のほとんどは既に見つけられていると想定してもよく、ハンドオーバ測定に関するのと同じ閾値を有する基準ｂ）だけの使用で十分なことがある。
【００６３】
さらに、閾値Ｃは、サービス、契約タイプ、ＵＥタイプ等に依存してもよい。例えば、ゴールド契約ユーザは、より大きい範囲のバルク測定を避けるために普通契約ユーザより低い閾値Ｃを割り当てられる。
３．０  セルグローバルＩＤ（ＣＧＩ）の測定
移動機（ＭＳ）が別のＲＡＴ／周波数の候補基地局（ＢＳ）を報告し、サービス提供中の基地局（ＢＳ）がＣＧＩ測定を要求すると想定する（図４の動作３）。別のＲＡＴ／周波数の基地局（ＢＳ）のセルグローバルＩＤ（ＣＧＩ）を測定するために、移動機（ＭＳ）は、再びその基地局（ＭＳ）の周波数に合わせて、候補ＲＡＴ／周波数の所望の情報を測定するために必要な時間、サービス提供中のＲＡＴ／周波数をリッスンするのを停止しなければならない。候補基地局（ＢＳ）のセルグローバルＩＤ（ＣＧＩ）を取得するために、まず同期を取得する必要があってもよく、次いでＣＧＩが送信される実際の時間を取得する必要があり、最後にＣＧＩを測定し得る。本技術は、異なるＲＡＴ／周波数の基地局（ＢＳ）から送信される情報の測定を扱う相当数の異なるやり方、例えば異なる実施形態およびモードなどを提案する。本明細書で使用する限り、「測定値」は、セルグローバルＩＤ（ＣＧＩ）を取得するために知らなければならない、ありとあらゆる情報エンティティまたは情報タイプ、例えば同期およびローカルＩＤなどを指してもよい。その結果として、実施形態および実施モードは、セルグローバルＩＤ（ＣＧＩ）だけでなく、異なるＲＡＴ／周波数の基地局（ＢＳ）から送信されるどんな情報を測定するために使用されてもよい。
３．１  第１の実施形態／モード（方法ａ）
「方法ａ」または「解決手段ａ」としても知られる、図７に示す第１の実施形態およびモードでは、サービス提供中の基地局（ＢＳ）が、長さＴの送信ギャップを発出する。ここで、Ｔは、候補基地局（ＢＳ）から所望の情報を取得するための最悪の場合の時間である。このギャップ中に、移動機（ＭＳ）が所望の情報を測定する。この解決手段は、サービス提供中の基地局（ＢＳ）が最悪の場合の時間Ｔを知っている必要があることに注意されたい。
【００６４】
「方法ｄ」または「解決手段ｄ」としても知られた、第１の実施形態およびモードの変形では、移動機（ＭＳ）が、長さＴの読み取りギャップ中に測定すると基地局（ＢＳ）に通知する。サービス提供中の基地局（ＢＳ）は、この期間中、送信ギャップを設ける。この方法は、方法ａ）のサブセットであるが、この場合、移動機（ＭＳ）が送信ギャップを先導する。
３．２  第２の実施形態／モード（方法ｂ）
「方法ｂ」または「解決手段ｂ」としても知られる、図８に示す第２の実施形態およびモードでは、サービス提供中の基地局（ＢＳ）が、移動機（ＭＳ）への測定要求の送信直後に送信ギャップを開始する。このギャップ中に、移動機（ＭＳ）が所望の情報を測定する。送信ギャップは、サービス提供中の基地局（ＢＳ）が移動機（ＭＳ）から測定結果を受信すると直ぐに終了する。ギャップは最大長Ｔを有するであろう。この場合のＴは、所望の情報を取得するための最悪の場合の時間である。解決手段ａ）とは対照的に、長さＴは前もって知られてはならない。
【００６５】
「方法ｅ」または「解決手段ｅ」としても知られる、第２の実施形態およびモードの変形では、移動機（ＭＳ）が、サービス提供中の基地局（ＢＳ）への送信ギャップメッセージの送信直後に、読み取りギャップを開始する。基地局（ＢＳ）は、基地局（ＢＳ）が移動機（ＭＳ）から測定結果を受信すると直ぐに終了する送信ギャップを発出する。この方法は、方法ｂ）と類似しているが、この場合、移動機（ＭＳ）が送信ギャップを先導する。
３．３  第３の実施形態／モード（方法ｃ）
「方法ｃ」または「解決手段ｃ」としても知られる、図９に示す第３例の実施形態およびモードでは、固定長の送信ギャップをサービス提供中の基地局（ＢＳ）が周期的に発出し、そこで移動機（ＭＳ）が所望の情報を測定する。所望の情報が周期的に送信されると想定している。一定の条件のもとでは、送信ギャップは、所望の情報に関するブロードキャストフレームの方にスライドし、やがてこれらのブロードキャストフレームの１つに並ぶであろう。
３．４  第４の実施形態／モード（方法ｆ）
「方法ｆ」または「解決手段ｆ」としても知られる、第４の実施形態およびモードでは、移動機（ＭＳ）が読み取りギャップを発出して、ＲＡＴ間／周波数間測定を実行するが、サービス提供中の基地局（ＢＳ）にこれを報告しないで、この時間中のサービス提供中のＲＡＴ／周波数の送信を無視する。ＲＡＴ間／周波数間測定中、移動機（ＭＳ）には連絡できない。ネットワークは、移動機（ＭＳ）が影の領域を通過した場合と同じ動作を経験するであろう。
【００６６】
サービス提供中の基地局（ＢＳ）は、移動機（ＭＳ）がＲＡＴ間／周波数間測定を実行している時、確実に移動機（ＭＳ）にＳＢ（ＤＬおよびＵＬ伝送）を割り当てないようにしてもよい。方法ａ）〜ｅ）は、移動機（ＭＳ）が別のＲＡＴ／周波数を測定している時間間隔中にＤＬおよびＵＬ伝送が起こらないのを確実にし、それ故、サービス提供中のＲＡＴ／周波数で通信できない。方法ａ）〜ｃ）は、サービス提供中の基地局（ＢＳ）が開始し、サービス提供中の基地局（ＢＳ）は、移動機（ＭＳ）がＲＡＴ間／周波数間測定を実行している時間間隔を知っている。方法ｄ）〜ｅ）は、移動機（ＭＳ）が開始し、移動機（ＭＳ）は、サービス提供中の基地局（ＢＳ）に自機がＲＡＴ間／周波数間測定を実行すると通知する。
【００６７】
方法ｆ）は、移動機（ＭＳ）がＲＡＴ間／周波数間測定を実行するために突然周波数を変更するので、無線フレームの紛失を招くことがある。しかし、失われたフレームはハイブリッド自動再送要求（ＨＡＲＱ）を使用して回復されるので、これは重大な問題とは見なされない。また、移動機（ＭＳ）は、ＣＱＩレポートを基地局（ＢＳ）に送信するように構成されてもよい。ＲＡＴ間／周波数間測定を実行している移動機（ＭＳ）は、所定のレポート（例えば、ＣＱＩレポートおよび（Ｎ）ＡＣＫ）をサービス提供中のＲＡＮに送信できないことがある。また、移動機（ＭＳ）が、ＲＡＴ間／周波数間測定を実行するために、未知の時間にサービス提供中の基地局（ＢＳ）のリッスンを停止するのを、基地局（ＢＳ）は知っている。それ故、ある移動機（ＭＳ）からの所定のレポート（例えば、ＣＱＩレポート）の着信がないこと、または（測定結果をまだ送信していない）同じ移動機（ＭＳ）に測定要求を要求したこと、またはその両方についての知識は、移動機（ＭＳ）が現在ＲＡＴ間／周波数間測定を実行中であるという表示として使用してもよい。このような状況から、スケジューラは、その移動機（ＭＳ）への送信の優先順位を下げるか、またはその移動機（ＭＳ）にスケジューリングブロック（ＳＢ）を少しも割り当てないように構成されてもよい。この結果は、ＲＡＴ間／周波数間測定を実行している移動機（ＭＳ）への無線フレームの廃棄確率(drop probability)が下げられ、スケジューラがＳＢを他の移動機（ＭＳ）に割り当ててもよいことである。
４．０  測定の強化／変形
いくつかの実施形態例では、候補基地局の最終的に必要な情報（例えば、セルグローバルＩＤ（ＣＧＩ））を取得するために、２段階情報取得手順を使用してもよい。２段階情報取得手順では、まず第１のタイプの情報が候補基地局から取得される。第１のタイプの情報は、候補基地局から第２のタイプの情報（例えば、ＣＧＩなどの最終的に求められている情報）をどのように取得するかを決定するために活用される。
【００６８】
図１０は、一例である２段階情報取得手順に関わる例示の代表的な動作またはステップを示す。動作１０−１は、移動機が少なくとも１つの読み取りギャップ中に候補基地局から第１のタイプの情報を取得する工程を備える。第１のタイプの情報は、第２のタイプの情報をどのように取得するかの決定を促進するどのような情報でもよい。例えば、第１のタイプの情報は、候補基地局からブロードキャストされるフレーム番号またはスケジューリング情報でもよい。動作１０−１の読み取りギャップは、移動機がサービス提供中の無線基地局から情報を受信しない期間である。図１０の手順の一実施例では、サービス提供中の基地局が、移動機に候補無線基地局からブロードキャストされる第１のタイプの情報の取得を許可する。
【００６９】
図１０の一例である２段階情報取得手順の動作１０−２は、第１のタイプの情報を使用して、候補無線基地局からブロードキャストされる第２のタイプの情報をどのように取得するかを決定する工程を備える。決定は、（図１１に関して以降で記述する実施例のように）移動機（ＭＳ）か、または（図１２に関して以降で記述する実施例のように）サービス提供中の基地局が行ってもよい。
【００７０】
図１０の一例である２段階情報取得手順の動作１０−３は、サービス提供中の基地局が、移動機に候補無線基地局からブロードキャストされる第２のタイプの情報の取得を許可する工程を備える。本明細書で使用する限り、サービス提供中の基地局が移動機に第２のタイプの情報の取得を「許可する」工程には、サービス提供中の基地局が移動機に第２のタイプの情報の取得を許可または認可することを含んでもよいが、少なくとも１つの実施形態では、移動機は許可または認可されているけれども、候補基地局からの情報を取得するために、サービス提供中の基地局からの送信を無視してもよい。動作１０−４は、移動機が少なくとも別の１つの読み取りギャップ中に候補無線基地局から第２のタイプの情報（例えば、セルグローバルＩＤ（ＣＧＩ））を取得する工程を備える。
【００７１】
セクション３．０に提示した方法の中の１つまたは組み合わせの方法が、他のＲＡＴ／周波数において基地局からの所望の情報を測定するために、使用されてもよい。さらに、（例えば、図１０の動作１０−１で取得される）第１のタイプの情報は、セクション３．０の方法の中の１つを使用して取得されてもよく、（例えば、図１０の動作１０−４で取得される）第２のタイプの情報は、セクション３．０の方法の中の別の（異なる）方法を使用して取得されてもよい。言い換えると、（第２のタイプの情報を特定することを助けるために使用される）第１のタイプの情報と第２のタイプの情報を取得するために、同じ方法を使用する必要はない。
【００７２】
例えばセルグローバルＩＤ（ＣＧＩ）などの所望の情報が送信される間隔を見つけるために、候補基地局（ＢＳ）からの同期情報および場合によっては他の測定情報を使用する場合、ＲＡＴ間／周波数間測定によりサービス提供中の基地局（ＢＳ）への伝達トラヒックに与える妨害を少なくできよう。この情報を用いて、この所与の時間だけの間、例えばセクション３．１およびセクション３．２に記載の方法ａ）またはｂ）を活用してもよく、こうすることにより、サービス提供中のＲＡＴ／周波数において進行中のトラヒックへの妨害を少なくするかまたは全くもたらさなくなる。候補基地局（ＢＳ）の同期をまだ知らない場合、セクション３．０に記載の方法ａ）〜ｆ）の中の１つを使用してそれを見つけてもよい。
【００７３】
図１０の動作１０−２は、候補無線基地局からブロードキャストされる第２のタイプの情報をどのように取得するかを決定するための、第１のタイプの情報の使用に関わる。第２のタイプの情報をどのように取得するかの決定は、現在のフレーム番号および場合によってはスケジューリング情報などの測定結果（第１のタイプの情報）に基づき、移動機（ＭＳ）によってか、または必要な情報が移動機（ＭＳ）から報告されていることを条件としてサービス提供中の基地局（ＢＳ）によって行われてもよい、所望の情報に関する送信時間間隔の計算を含んでもよい。
【００７４】
図１１は、移動機（ＭＳ）がそのサービス提供中の基地局（ＢＳ）にＲＡＴ間／周波数間測定方法を使用する時間間隔を通知する一シナリオ例を示す。例えば、図１１の動作１は、移動機（ＭＳ）が候補基地局からフレーム番号またはスケジューリング情報を取得する工程を示す。図１１の動作２は、移動機（ＭＳ）が、サービス提供中の基地局に自機が特定の方法（図１１に方法“Ｘ”として一般的に表されている）を使用して、一定の時間間隔（図１１に時間間隔“［ａ，ｂ］”で表されている）中にＣＧＩを測定すると通知する工程を表す。図１１の動作３は、移動機（ＭＳ）が図１１の動作２で通知した時間間隔中に候補基地局のＣＧＩを実際に測定または取得する工程を示す。図１１の動作４は、移動機（ＭＳ）がサービス提供中の基地局に図１１の動作３の結果として取得したＣＧＩを通知する工程を表す。
【００７５】
図１２は、別のシナリオ例を示し、特に、サービス提供中の基地局（ＢＳ）が移動機（ＭＳ）にＲＡＴ間／周波数間測定方法を使用すべき時間間隔を指示するシナリオを示す。図１２の動作１は、移動機（ＭＳ）が候補基地局からフレーム番号またはスケジューリング情報を取得する工程を示す。図１２の動作２は、移動機（ＭＳ）がサービス提供中の基地局にフレーム番号、スケジューリング情報、タイムアライメント等のような候補基地局の情報を通知する工程を表す。図１２の動作３は、サービス提供中の基地局が、移動機（ＭＳ）に特定の方法（図１２に方法“Ｘ”として一般的に表されている）を使用して、一定の指定時間間隔（図１２に時間間隔“［ａ，ｂ］”で表されている）中にＣＧＩを測定するように指示する工程を表す。図１２の動作４は、移動機（ＭＳ）が図１２の動作３で指示された時間間隔中に候補基地局のＣＧＩを実際に測定または取得する工程を示す。図１２の動作５は、移動機（ＭＳ）がサービス提供中の基地局に図１２の動作４の結果として取得したＣＧＩを通知する工程を示す。
【００７６】
さらなる代替形態として、セクション３．４の方法で提案したように、移動機（ＭＳ）が基地局（ＢＳ）に時間間隔について通知しないと決定し、所望の情報の測定を単に開始してもよい。
５．０  実施例
５．１  第１の例
別のＲＡＴ／周波数における基地局（ＢＳ）のセルグローバルＩＤ（ＣＧＩ）測定の第１の実施例について、これより説明する。セクション２．０で概要を述べたトリガ条件が満足されており、移動機（ＭＳ）がＲＡＴ間／周波数間測定を開始すると想定する。この場合、移動機（ＭＳ）は、同期して、候補基地局（ＢＳ）の信号品質を測定する必要があってもよい。これは、スライディング送信ギャップを有するセクション３．３の方法ｃ）を使用する現在述べている実施例で行われる。サービス提供中の基地局（ＢＳ）が、移動機（ＭＳ）に候補基地局（ＢＳ）のセルグローバルＩＤ（ＣＧＩ）を測定するように要求、すなわち図４の動作３をしてもよい。移動機（ＭＳ）がこの状態で候補基地局のセルグローバルＩＤ（ＣＧＩ）がいつ送信されるかを知らない場合、移動機（ＭＳ）は、セクション３．４の方法ｆ）を使用してスケジューリング情報を獲得する。スケジューリング情報は、（例えば、ＧＥＲＡＮに見られるような）フレーム番号、または（例えば、ＵＴＲＡＮに見られるような）候補基地局（ＢＳ）からブロードキャストされる他の明示的なスケジューリング情報に基づいてもよい。次いで、移動機（ＭＳ）は、候補基地局（ＢＳ）のＣＧＩが送信される時間間隔を計算し、方法ｆ）を使用してＣＧＩを測定する、これは、測定時間中にサービス提供中のＲＡＴ／周波数による送信を無視することを意味する。
５．２  第２の例
第２の例は、別のＲＡＴ／周波数に接続されている間の、ＧＥＲＡＮ  ＢＳからのＣＧＩの取り出しに関する。ＧＥＲＡＮでは、ＣＧＩはＢＣＨで送信される。ＣＧＩが送信されるＴＤＭＡフレーム番号は、３ＧＰＰ  ＴＳ  ４５．００２  「無線パスにおける多重化および多元接続(Multiplexing and multiple access on the radio path)」に仕様が定められている。例えばスライディング送信ギャップを有する（セクション３．０の）方法ｃ）を用いて、周波数微調整用のＦＣＣＨおよび同期用のＳＣＨが測定されてもよい。ＳＣＨを読み取ると、移動機（ＭＳ）は、現在のフレーム番号を知るであろう。移動機がＧＥＲＡＮ基地局（ＢＳ）との同期を維持している場合、ローカルＩＤを測定したので、現在のフレーム番号は既に分かっており、移動機は、ＦＣＣＨおよびＳＣＨの追加の測定を行う必要はないであろう。
【００７７】
現在のフレーム番号が分かると直ぐに、移動機（ＭＳ）は、ＣＧＩを測定するための時間間隔を計算できる。この測定は、例えば（セクション３．４の）方法ｆ）使用して行われる、すなわち、移動機（ＭＳ）がＧＥＲＡＮ基地局（ＢＳ）のＣＧＩを測定し、測定時間中のサービス提供中のＲＡＴ／周波数による送信を無視する。次いで移動機（ＭＳ）は、測定したＣＧＩを基地局（ＢＳ）に報告する。
５．３  第３の例
第３の例は、別のＲＡＴ／周波数に接続されている間の、ＵＴＲＡＮ基地局（ＢＳ）からのＣＧＩの取り出しに関する。ＵＴＲＡでは、ＣＧＩは、３ＧＰＰ  ＴＳ  ２５．３３１  「無線リソース制御（ＲＲＣ）：プロトコル仕様(Radio Resource Control (RRC); Protocol specification)」に記載のようにＰ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）で送信される。ＣＧＩが送信される無線フレームはマスタ情報ブロック（ＭＩＢ、Master Information Block）に指定されており、これもＰ−ＣＣＰＣＨで送信される。それ故、移動機（ＭＳ）は、まずＭＩＢに含まれる情報を読み取り、次いでＣＧＩを読み取る。
【００７８】
移動機（ＭＳ）が、同期して、例えば、スライディング送信ギャップを用いる（セクション３．３の）方法例ｃ）を使用して、候補基地局（ＢＳ）のスクランブリングコードを取得する。同期すると、移動機（ＭＳ）は、Ｐ−ＣＣＰＣＨの読み取りを開始し、システムフレーム番号（ＳＦＮ、System Frame Number）を取得する。移動機（ＭＳ）は、ＳＦＮを使用してＭＩＢが送信されるフレームおよび時間間隔を計算する。移動機（ＭＳ）は、例えば（セクション３．４の）方法例ｆ）を使用して、ＭＩＢの内容を読み取り、ＣＧＩが送信されるフレームおよび時間間隔を取得する。次いで移動機（ＭＳ）は、例えば（セクション３．４の）方法例ｆ）を使用して、ＣＧＩを読み取り、そのＣＧＩをサービス提供中の基地局（ＢＳ）に報告する。
６．０  有利な効果の例
本明細書に記載のＲＡＴ間／周波数間ＮＲＬの自動管理は、ＲＡＴ間／周波数間におけるシームレスモビリティに必要な隣接関係リスト（ＮＲＬ）の計画および維持に関するオペレータ費用の低下に導く。本技術により提供される利点は、以下を含む（がこれらに限定されない）。
−隣接関係リスト（ＮＲＬ）を作成するとき、人の介在は、ほとんどまたは全く必要ない。
−提示の方法は、移動機からのフィードバック情報に基づいており、このような状況から、自動ＮＲＬ（ＡＮＲＬ）管理は、セル内の無線伝播条件の変化に直ぐに反応する。
−本発明は、移動機からのフィードバックに依存するので、例えばトポロジなどに基づく無線伝播モデルを必要としない。
−移動機と基地局との間で伝達されるトラヒックへの妨害は、ほとんどないか又はごくわずかしか持ち込まれない。
−以前の技術に比べて、基地局間のトランスポートネットワークに持ち込まれるトラヒックがごくわずかである。以前の技術の中には、基地局がそれぞれのサービスエリア内の移動機に関する情報を継続的に交換することに頼っているものがある。
−１つの特定のＲＡＴだけを扱う以前の既知の解決手段とは対照的に、ＲＡＴ間／周波数間ＮＲＬをサポートしている。
【００７９】
これまでの説明は多くの特異性を有するが、これらは、本発明の範囲を限定すると解釈されるべきでなく、現在好ましい実施形態のいくつかの例証を提供しているにすぎないと解釈されるべきである。それ故、本発明の範囲は、当業者には明らかになるかもしれない他の実施形態を完全に包含し、それに応じて本発明の範囲は限定されないと理解されるであろう。単数形での要素への言及は、明示的にそのように述べられていない限り「唯一」を意味する意図はなく、正確には「１つ以上」を意図している。当業者に公知の上述の好ましい実施形態の要素のすべての構造上および機能上の均等物は、参照によって本明細書に明示的に引用し、本明細書に包含することを意図している。さらに、デバイスまたは方法が、本明細書に包含されることになっている、本発明が解決を目指しているありとあらゆる課題に取り組む必要はない。
【図１】
2011512718.tif 000003
【図２】
2011512718.tif 000004
【図３】
2011512718.tif 000005
【図４】
2011512718.tif 000006
【図５】
2011512718.tif 000007
【図６】
2011512718.tif 000008
【図７】
2011512718.tif 000009
【図８】
2011512718.tif 000010
【図９】
2011512718.tif 000011
【図１０】
2011512718.tif 000012
【図１１】
2011512718.tif 000013
【図１２】
2011512718.tif 000014
【図１３】
2011512718.tif 000015
【図１４】
2011512718.tif 000016
【図１５】
2011512718.tif 000017
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
サービス提供中の無線基地局（５０S）および候補無線基地局（５０C）を備える通信システム（１０）を動作させる方法であって、前記サービス提供中の無線基地局（５０S）は、無線移動機（３０）が測定レポートを提供する無線基地局であり、前記サービス提供中の無線基地局（５０S）と前記候補無線基地局（５０C）は、周波数および無線アクセス技術の少なくとも一方が異なり、
前記サービス提供中の無線基地局（５０S）が、前記移動機（３０）に前記候補無線基地局（５０C）からブロードキャストされる情報の取得を許可する工程と、
前記移動機（３０）が、（ａ）少なくとも１つの読み取りギャップ中に前記候補無線基地局（５０C）から第１のタイプの情報を取得する工程と、
（ｂ）前記第１のタイプの情報を使用して、前記候補無線基地局（５０C）からブロードキャストされる第２のタイプの情報をどのように取得するかを決定する工程と、
（ｃ）前記移動機（３０）が、少なくとも別の１つの読み取りギャップ中に前記候補無線基地局（５０C）から前記第２のタイプの情報を取得する工程と
含み、
前記読み取りギャップは、前記移動機（３０）が前記サービス提供中の無線基地局（５０S）から情報を受信しない期間であることを特徴とする方法。
【請求項２】
前記情報は、前記候補無線基地局（５０C）の同期情報であることを特徴とする請求項１に記載の方法。
【請求項３】
前記情報は、前記候補無線基地局（５０C）のローカル識別情報であることを特徴とする請求項１に記載の方法。
【請求項４】
前記サービス提供中の無線基地局（５０S）が、前記移動機（３０）に対して、前記移動機（３０）が前記候補無線基地局（５０C）から前記情報を取得できる所定の期間を有する送信ギャップを発出する工程と、
前記移動機（３０）が、前記送信ギャップ中に前記候補無線基地局（５０C）から前記情報を取得する工程と
をさらに含むことを特徴とする請求項１に記載の方法。
【請求項５】
前記移動機（３０）が、前記サービス提供中の無線基地局（５０S）に前記移動機（３０）が前記少なくとも１つの読み取りギャップを発出すると通知する工程と、それに応えて、
前記サービス提供中の無線基地局（５０S）が、前記移動機（３０）に対する前記送信ギャップを発出する工程と
をさらに含むことを特徴とする請求項４に記載の方法。
【請求項６】
前記サービス提供中の無線基地局（５０S）が、送信ギャップを開始し、前記移動機（３０）に前記候補無線基地局（５０C）からブロードキャストされる情報の取得を許可する工程と、
前記サービス提供中の無線基地局（５０S）が、前記移動機（３０）から前記情報を受信すると直ぐに、前記送信ギャップを終了する工程と
をさらに含むことを特徴とする請求項１に記載の方法。
【請求項７】
前記移動機（３０）が、前記サービス提供中の無線基地局（５０S）に前記送信ギャップを発出するように要求する工程と、
前記移動機（３０）が、前記情報を取得するために読み取りギャップを開始する工程と
をさらに含むことを特徴とする請求項６に記載の方法。
【請求項８】
前記サービス提供中の無線基地局（５０S）が、前記移動機（３０）に固定長の周期的送信ギャップを発出し、それによって、前記送信ギャップの少なくとも１つを、前記候補無線基地局（５０C）からブロードキャストされる前記情報を中に有する、前記候補無線基地局（５０C）のブロードキャストフレームに位置合わせする工程と、
前記移動機（３０）が、前記周期的送信ギャップの１つの間に前記情報を取得する工程と
をさらに含むことを特徴とする請求項１に記載の方法。
【請求項９】
前記移動機（３０）が、前記候補無線基地局（５０C）から前記情報を取得するために前記少なくとも１つの読み取りギャップを発出する工程と、前記読み取りギャップ中は前記サービス提供中の無線基地局（５０S）からの送信を無視する工程と
をさらに含むことを特徴とする請求項１に記載の方法。
【請求項１０】
前記移動機（３０）が、反復要求手順を用いて前記少なくとも１つの読み取りギャップ中に失われたフレームを回復する工程をさらに含むことを特徴とする請求項９に記載の方法。
【請求項１１】
前記サービス提供中の無線基地局（５０S）が、前記移動機（３０）からの所定の報告の不受信は前記移動機（３０）が前記少なくとも１つの読み取りギャップを発出していることを示すと理解する工程と、それに応じて、前記サービス提供中の無線基地局（５０S）が、前記サービス提供中の無線基地局（５０S）と前記移動機（３０）との通信を変更する工程とをさらに含むことを特徴とする請求項１に記載の方法。
【請求項１２】
前記サービス提供中の無線基地局（５０S）が、前記移動機（３０）への送信の優先順位を下げることによって、前記サービス提供中の無線基地局（５０S）と前記移動機（３０）との通信を変更する工程をさらに含むことを特徴とする請求項１１に記載の方法。
【請求項１３】
前記サービス提供中の無線基地局（５０S）が、前記移動機（３０）へのスケジューリングリソースの割り当てを中止する工程をさらに含むことを特徴とする請求項１１に記載の方法。
【請求項１４】
前記サービス提供中の無線基地局（５０S）が、隣接関係リストハンドラに前記情報を提供する工程をさらに含むことを特徴とする請求項１に記載の方法。
【請求項１５】
前記候補無線基地局（５０C）はＧＥＲＡＮ無線アクセスネットワークに属し、前記サービス提供中の無線基地局（５０S）は別の無線アクセス技術に属することを特徴とする請求項１に記載の方法。
【請求項１６】
前記候補無線基地局（５０C）はＵＴＲＡＮ無線アクセスネットワークに属し、前記サービス提供中の無線基地局（５０S）は別の無線アクセス技術に属することを特徴とする請求項１に記載の方法。
【請求項１７】
前記サービス提供中の無線基地局（５０S）が、前記移動機（３０）に前記候補無線基地局（５０C）からブロードキャストされる前記第１のタイプの情報を取得するため、および前記候補無線基地局（５０C）からブロードキャストされる前記第２のタイプの情報を取得するために、動作（ａ）の実行を許可する工程をさらに含むことを特徴とする請求項１に記載の方法。
【請求項１８】
前記第１のタイプの情報は、前記候補無線基地局（５０C）の同期情報および前記候補無線基地局（５０C）のローカル識別情報の１つ以上であることを特徴とする請求項１に記載の方法。
【請求項１９】
前記第１のタイプの情報は、前記候補無線基地局（５０C）のセルグローバルＩＤ（ＣＧＩ）を突き止めるための情報であることを特徴とする請求項１に記載の方法。
【請求項２０】
動作（ａ）は、請求項６乃至請求項１１の１項の動作を用いて実行され、
動作（ｄ）は、請求項６乃至請求項１１の別の１項の動作を用いて実行される
ことを特徴とする請求項１に記載の方法。
【請求項２１】
サービス提供中の無線基地局（５０S）および候補無線基地局（５０C）を備える通信システム（１０）における無線動作用に構成された移動機（３０）であって、
前記無線移動機（３０）と前記サービス提供中の無線基地局（５０S）との間、および前記移動機（３０）と前記候補無線基地局（５０C）との間の無線通信を実施するように構成された１つ以上のトランシーバ（３３）を備え、
移動機測定通信機能（４２）が少なくとも１つの読み取りギャップ中に前記候補無線基地局（５０C）から第１のタイプの情報を取得し、少なくとも別の１つの読み取りギャップ中に前記候補無線基地局（５０C）から第２のタイプの情報を取得するように構成され、
前記第２のタイプの情報は、前記候補無線基地局（５０C）のセルグローバルＩＤ（ＣＧＩ）であり、各読み取りギャップは、前記移動機（３０）が前記サービス提供中の無線基地局（５０S）から情報を受信しない期間である
ことを特徴とする移動機（３０）。
【請求項２２】
前記情報は、前記候補無線基地局（５０C）の同期情報であることを特徴とする請求項２１に記載の移動機。
【請求項２３】
前記情報は、前記候補無線基地局（５０C）のローカル識別情報であることを特徴とする請求項２１に記載の移動機。
【請求項２４】
前記第１のタイプの情報は、前記候補無線基地局（５０C）のセルグローバルＩＤ（ＣＧＩ）を突き止めるための情報であることを特徴とする請求項２１に記載の移動機。
【請求項２５】
サービス提供中の基地局としての機能を果たし、移動機（３０）との無線通信のために構成された通信システム（１０）の基地局（５０）であって、
前記移動機（３０）と前記基地局との間の無線通信を実施するように構成されたトランシーバ（３８）を備え、
基地局測定通信機能（５２）が、前記移動機（３０）に少なくとも１つの読み取りギャップ中の候補無線基地局（５０C）からの第１のタイプの情報の取得を許可し、少なくとも別の１つの読み取りギャップ中の前記候補無線基地局（５０C）からの第２のタイプの情報の取得を許可するように構成され、
前記第２のタイプの情報は、前記候補無線基地局（５０C）のセルグローバルＩＤ（ＣＧＩ）であり、各読み取りギャップは、前記移動機（３０）が前記サービス提供中の無線基地局（５０S）から情報を受信しない期間であることを特徴とする基地局（５０）。
【請求項２６】
前記第１のタイプの情報は、前記候補無線基地局（５０C）のセルグローバルＩＤ（ＣＧＩ）を特定するための情報であることを特徴とする請求項２５に記載の基地局。
【国際調査報告】
2011512718.tif 000018
2011512718.tif 000019
2011512718.tif 000020